(57)【要約】【課題】  来訪者により呼び出された世帯ではない他方の世帯が応答しても、来訪者に対してメッセージの録音を促すことなく、確実にメッセージを呼び出された世帯の居住者に伝えることができる２世帯用インターホン用装置を提供する。【解決手段】  転送モードに設定された第１居室親機が呼び出しを受けた（Ｓ１）ら、第１居室親機の制御部は、第２居室親機へ呼び出しを転送（Ｓ２）すると共に、第１玄関子機から受信した映像信号（Ｓ３）も転送する（Ｓ４）。同時に、呼出操作を受けて撮像された来訪者映像を自身の録音・録画部に録画し、第１玄関子機と第２居室親機との間で通話が成されたら（Ｓ７）、それを検出して映像を録画している録音・録画部に録音も併せて行う。【選択図】  図３
2009200832.tif 000002
【特許請求の範囲】
【請求項１】
２世帯型住戸に設置されて第１世帯を呼び出すための第１玄関子機と、第２世帯を呼び出すための第２玄関子機と、前記第１世帯の居住者が呼び出しに応答するめの第１居室親機と、第２世帯の居住者が呼び出しに応答するための第２居室親機とを備えた２世帯用インターホン装置であって、
前記第１及び第２玄関子機は、来訪者を撮像するための映像撮像部を夫々有する一方、前記第１及び第２居室親機は、撮像映像を出画する表示部、音声と共に映像を記録する録音・録画部、自世帯の玄関子機からの呼び出しを他世帯の居室親機へ転送させる転送モード設定部、呼び出し及び映像を制御する制御部を備えて、
転送モードに設定された一方の居室親機が呼び出しを受けたら、一方の居室親機の制御部は他方の居室親機へ呼び出し及び前記映像撮像部の撮像映像を転送すると共に、転送された他方の居室親機の制御部は、呼び出しを報知すると共に転送された映像を前記表示部に出画制御し、
更に一方の居室親機の制御部、他方の居室親機の制御部の何れか一方は、前記撮像映像を自身の前記録音・録画部に録画制御すると共に、一方の住戸の玄関子機と他方の住戸の居室親機との間で通話が成されたら、それを映像録画している前記録音・録画部に録音も併せて行うことを特徴とする２世帯用インターホン装置。
【請求項２】
前記第１及び第２居室親機の制御部は、自世帯の玄関子機との間で成された通話に対しても前記録音・録画部に録音・録画が可能であって、前記録音・録画部に新たな録音・録画が成された場合にそれを報知する録音・録画報知手段を有し、
前記制御部は、前記転送モードで成された録音・録画と、自世帯の玄関子機との間で成された通話の録音・録画とで前記録音・録画報知手段の報知形態が異なるよう制御することを特徴とする請求項１記載の２世帯用インターホン装置。
【発明の詳細な説明】
【技術分野】
【０００１】
本発明は、２世帯型住戸に設置する２世帯用インターホン装置に関する。
【背景技術】
【０００２】
従来から、２世帯型住戸専用に構成された２世帯用インターホン装置がある。これは、居住者を呼び出すための玄関子機と、この玄関子機からの呼び出しに応答するための居室親機の組を２組備え、双方の親機間で通信が可能に構成され、留守である一方の居室親機が呼び出されたときに他方の居室親機を呼び出すことができるよう構成されている。
例えば、特許文献１に記載された２世帯用インターホン装置では、呼び出しのための呼出信号及び通話を成立させるための音声信号の伝送路の切り替えを、制御機を介して行い、２世帯用住宅を構成する各住戸のうち何れか一方の住戸に居住者が在宅であれば、呼び出しに応答することができるよう構成されている。これにより、住戸内に居住者が在宅しているにも拘らず応答が無く留守であると判断されてしまうのを防止できた。
【０００３】
一方で、通常のインターホン装置の中に留守時に訪問者があった場合にメッセージを残すことができるよう構成されたものがある。たとえば特許文献２では、留守時に親機が呼び出されたときに、メッセージを受け付ける旨の音声が流れ、この通知を受けて来訪者により入力されたメッセージが録音されるよう構成されている。
【０００４】
【特許文献１】特願平１１−１０３３５４号公報
【特許文献２】特開２００２−２７１７８１号公報
【発明の開示】
【発明が解決しようとする課題】
【０００５】
２世帯用インターホン装置では、上述したように転送することで、不在であっても来訪者に対して応答することができた。しかし、折角他世帯側の居住者が代理応答しても、応答した居住者が来訪者が誰であったか、更にはメッセージ内容を忘れてしまう場合があり、転送操作しても意味がない場合があった。
そこで、上記特許文献２に記載されているようなメッセージ録音機能を設ければ、応答した居住者がメッセージを忘れても、録音を再生することで帰ってきた居住者はメッセージを正確に知ることができることが考えられる。ところが、転送機能を生かしつつ特許文献２に開示されている技術を適用してメッセージを録音する機能を設けても、応答した居住者が伝言があるか否かを来訪者に促して録音することになり、来訪者にとっては、通話している他方の住戸の居住者に伝えておけば足り得るメッセージを、改めて録音する際に喋らなければならず、来訪者に不快感を与える虞があった。
【０００６】
そこで、本発明はこのような問題点に鑑み、来訪者により呼び出された世帯ではない他方の世帯が応答しても、来訪者に対してメッセージの録音を促すことなく、確実にメッセージを呼び出された世帯の居住者に伝えることができる２世帯用インターホン用装置を提供することを目的としている。
【課題を解決するための手段】
【０００７】
上記課題を解決する為に、請求項１の発明は、２世帯型住戸に設置されて第１世帯を呼び出すための第１玄関子機と、第２世帯を呼び出すための第２玄関子機と、第１世帯の居住者が呼び出しに応答するための第１居室親機と、第２世帯の居住者が呼び出しに応答するための第２居室親機とを備えた２世帯用インターホン装置であって、第１及び第２玄関子機は、来訪者を撮像するための映像撮像部を夫々有する一方、第１及び第２居室親機は、撮像映像を出画する表示部、音声と共に映像を記録する録音・録画部、自世帯の玄関子機からの呼び出しを他世帯の居室親機へ転送させる転送モード設定部、呼び出し及び映像を制御する制御部を備えて、転送モードに設定された一方の居室親機が呼び出しを受けたら、一方の居室親機の制御部は他方の居室親機へ呼び出し及び映像撮像部の撮像映像を転送すると共に、転送された他方の居室親機の制御部は、呼び出しを報知すると共に転送された映像を表示部に出画制御し、更に一方の居室親機の制御部、他方の居室親機の制御部の何れか一方は、撮像映像を自身の録音・録画部に録画制御すると共に、一方の住戸の玄関子機と他方の住戸の居室親機との間で通話が成されたら、それを映像録画している録音・録画部に録音も併せて行うことを特徴とする。
【０００８】
この構成によれば、玄関子機からの呼び出しが他世帯の居室親機に転送され、他世帯の居室親機で応答が成された場合に、その通話の内容が自世帯或いは他世帯の何れかの居室親機に来訪者映像と共に記憶される。そのため、帰宅した自世帯の居住者は、その記録内容を再生することで、他世帯の居住者へ問い合わせすることなく来訪者の映像に加えて会話内容を認識することができる。よって、来訪者の訪問目的等を確実に把握することができ、来訪者にメッセージの録音を促す必要が無くなり、来訪者に不快感を与えることがないし、応答した他世帯の居住者も、通話内容を記憶或いは記録しておく必要がなく気軽に応答できる。
【０００９】
請求項２の発明は、請求項１に記載の発明において、第１及び第２居室親機の制御部は、自世帯の玄関子機との間で成された通話に対しても録音・録画部に録音・録画が可能であって、録音・録画部に新たな録音・録画が成された場合にそれを報知する録音・録画報知手段を有し、制御部は、転送モードで成された録音・録画と、自世帯の玄関子機との間で成された通話の録音・録画とで録音・録画報知手段の報知形態が異なるよう制御することを特徴とする。
この構成によれば、転送モードでの録音・録画がある場合はそれを容易に認識でき、留守にしていた時に来訪者があったことを把握し易い。
【発明の効果】
【００１０】
本発明によれば、玄関子機からの呼び出しが他世帯の居室親機に転送され、他世帯の居室親機で応答が成された場合に、その通話の内容が自世帯或いは他世帯の何れかの居室親機に来訪者映像と共に記憶される。そのため、帰宅した自世帯の居住者は、その記録内容を再生することで、他世帯の居住者へ問い合わせすることなく来訪者の映像に加えて会話内容を認識することができる。よって、来訪者の訪問目的等を確実に把握することができ、来訪者にメッセージの録音を促す必要が無くなり、来訪者に不快感を与えることがないし、応答した他世帯の居住者も、通話内容を記憶或いは記録しておく必要がなく気軽に応答できる。
【発明を実施するための最良の形態】
【００１１】
以下、本発明を具体化した実施の形態を、図面に基づいて詳細に説明する。図１は、本発明に係る２世帯用インターホン装置の構成図であり、世帯Ａ（第１世帯）と世帯Ｂ（第２世帯）の各々の住戸玄関に設置され、来訪者が居住者を呼び出すための第１玄関子機１ａ及び第２玄関子機１ｂと、世帯Ａ及び世帯Ｂの各々の住戸内に設置され、個別の伝送路（以下、子機／親機ラインという。）Ｌ１ａ、Ｌ１ｂを介して接続されて、呼び出しに応答するための第１居室親機２ａ及び第２居室親機２ｂとを有している。第１居室親機２ａと第２居室親機２ｂとは伝送路（以下、世帯間ラインという。）Ｌ２を介して互いに接続されている。
【００１２】
第１玄関子機１ａ及び第２玄関子機１ｂは同一の構成の玄関子機１であり、説明の都合上ａ，ｂの符号で分けている。玄関子機１は、居住者を呼び出して通話するための呼出操作部１１、来訪者を撮像するための映像撮像部１２、マイク１３及びスピーカ１４から成る通話部が備えられている。映像撮像部１２は、呼出操作を行った来訪者の映像や住戸玄関の周囲近傍の映像（監視映像を含む。）を撮像し、例えばＣＣＤ、ＣＭＯＳ等の各種のカメラ媒体にて構成されている。
【００１３】
第１居室親機２ａ及び第２居室親機２ｂは同一の構成の居室親機２であり、説明の都合上ａ，ｂの符号で分けている。居室親機２は、設定・操作部２１、発報部２２、音声入力部２３、表示部２４、親機通話部２５等を備えている。設定・操作部２１は、各種設定操作を行うための部位であり、押圧ボタンや表示部２４の前面に配置されるタッチパネルで構成されている。玄関子機１からの呼び出しを他世帯の居室親機に呼出転送させる転送モード設定を行ったり、玄関子機１からの呼び出し、又は呼出転送による他世帯の玄関子機１からの呼び出しに応答するための操作を行う所謂通話ボタンもこの中に含まれている。
【００１４】
発報部２２は、スピーカ（図２に示す）２８で構成され、玄関子機１からの居室親機呼び出しが成された場合に、呼出音や音声メッセージ等を音響出力すると共に、呼出転送による他世帯の玄関子機１からの居室親機呼び出しがある旨の呼出音や音声メッセージ等を音響出力する。更には他世帯の居住者による伝言メッセージを音響出力する。
また音声入力部２３は、マイク２７（図２に示す）で構成され、玄関子機１と通話するためのものである。
【００１５】
表示部２４は、ＬＣＤで構成され、自世帯又は他世帯の玄関子機１の映像撮像部１２にて撮像された映像を出画するためのものである。また、玄関子機１からの呼び出しを表示したり、呼出転送先である他世帯の居住者が応答して通話を終了させた後、録音・録画がなされたことを表示する。
尚、この表示部２４は、ＬＣＤ以外に、ＬＣＤ、ＴＦＴ、ＰＤＰ、有機ＥＬディスプレイ等の各種の出画・表示媒体にて構成できるし、出画表示機能のみならず、玄関子機１からの呼び出しがある旨の呼出メッセージや絵データ、更には呼出転送による他世帯の玄関子機１からの呼び出しがある旨の呼出メッセージや絵データ等を表示する機能も備えている。
【００１６】
親機通話部２５は、マイク２７及びスピーカ２８（図２に示す）で構成され、自世帯の玄関子機１からの呼び出しに応答した居住者が、来訪者との間で通話を成立させるための音声（送話音声、受話音声）を入出力すると共に、呼出転送による他世帯の玄関子機１からの呼び出しに応答した居住者が来訪者との間で通話を成立させるための音声（送話音声、受話音声）を入出力する。尚、親機通話部２５としては、マイク２７及びスピーカ２８に限定されるものではなく、例えば、居住者による応答操作として取り上げられ、音声（送話音声、受話音声）を入出力することができるハンドセット（図示せず。）も好適とされる。
【００１７】
図２は居室親機２の回路ブロック図であり、内部構成は以下のようである。上述した設定・操作部２１、表示部２４、親機通話部２５を構成するマイク２７及びスピーカ２８に加えて、録音・録画部２９、分配変換部３０、居室親機全体を制御する制御部３１、玄関子機１と通信するためのインターフェース（以下、子機接続用ＩＦという。）３２、他世帯の居室親機２と通信するためのインターフェース（以下、他親機接続用ＩＦという。）３３が備えられている。尚、マイク２７は音声入力部２３を兼ねているし、スピーカ２８は発報部２２を兼ねている。
【００１８】
録音・録画部２９は、玄関子機１、他世帯の居室親機２のマイク２７にて入力された通話内容を自世帯又は他世帯の居室親機２で録音し、自世帯の居室親機２のスピーカ２８から再生（音響出力）するためのものであり、例えば、ＲＡＭ、ＥＥＰＲＯＭ等の各種の記憶媒体にて構成されている。
【００１９】
分配変換部３０は、玄関子機１の映像撮像部１２にて撮像された映像信号を自身の表示部２４へ伝送する信号伝送路と、他世帯の居室親機２の表示部２４へ伝送する信号伝送路との切り替えを行い、自身に接続されている玄関子機１のマイク１３及びスピーカ１４と親機通話部２５との間の信号伝送路と、玄関子機１のマイク１３及びスピーカ１４と他世帯の居室親機２の親機通話部２５との間の信号伝送路とを切り替えて音声信号の送受信を行うためのものある。
【００２０】
制御部３１は、具体的に設定・操作部２１の使用による設定・操作を検出すると共に、表示部２４、録音・録画部２９及び分配変換部３０をそれぞれ制御するし、玄関子機１からの呼び出しがある旨の報知（呼出報知）制御等も行い、呼び出しはスピーカ２８で報音され、表示部２４に表示される。
【００２１】
子機接続用ＩＦ３２は、分配変換部及３０と子機／親機ラインＬ１の間で送受信される各種信号の信号伝送路、制御部３１と子機／親機ラインＬ１の間で送受信される各種信号の信号伝送路をそれぞれ形成するためのものである。また、他親機接続用ＩＦ３３は、自親機２と他親機２の間（第１居室親機２ａと第２居室親機２ｂの間）で送受信される各種信号の信号伝送路、双方の制御部３１、３１間で送受信される各種信号の信号伝送路をそれぞれ形成するためのものである。
【００２２】
次に、上記構成の２世帯用インターホン装置の具体的な動作を説明する。ただし、玄関子機からの呼び出しに対して子機／親機ラインＬ１で接続された自世帯親機である居室親機２により応答し通話する動作、更には、呼出時或いは通話時に録音・録画できる機能は従来と同様であるため説明を省略し、以下転送モードにおける動作について詳しく説明する。
ここでは、世帯Ａを自世帯、世帯Ｂを他世帯とし、世帯Ａの居住者が外出等で留守にする等の理由で、来訪者が第１玄関子機１ａを使用して自世帯（世帯Ａ）の呼び出しが成された場合に、他世帯（世帯Ｂ）の第２居室親機２ｂに呼出転送させる転送モードに設定された場合の動作を説明する。図３はこの転送モード状態での信号の流れを示すシーケンス図であり、以下この図を基に説明する。
まず、転送動作するにあたり、その前提として第１居室親機２ａの設定・操作部２１にて所定の操作で転送モード設定が成される。この設定は制御部３１にて検出され、第１居室親機２ａは転送モード状態となる。
【００２３】
こうして転送モード設定が行われた後、世帯Ａの玄関へ訪れた訪問者が第１玄関子機１ａの呼出操作部１１を操作すると、子機／親機ラインＬ１ａを介して第１居室親機２ａの制御部３１に呼出信号が伝送される（Ｓ１）。制御部３１は、この呼出信号を受信して、来訪者による自世帯に呼び出しがあることを検出し、この呼び出しを世帯Ｂの第２居室親機２ｂへ呼出転送させるための呼出転送信号を生成すると共に、分配変換部３０を制御して、子機接続用ＩＦ３２及び他親機接続用ＩＦ３３の間の信号伝送路を形成する。同時に、第１玄関子機１ａの映像撮像部１２を能動として呼出操作を行った来訪者の映像や、世帯Ａの住戸玄関の周囲の映像の撮像を開始させ、第１玄関子機１ａのマイク１３から子機／親機ラインＬ１ａへの信号伝送路を形成する。
【００２４】
第１居室親機２ａの制御部３１は、引き続き生成した呼出転送信号を、第２居室親機２ｂに伝送（Ｓ２）する。呼出転送信号を受信した第２居室親機２ｂの制御部３１は、第１玄関子機１ａにて呼出操作を行った来訪者からの呼び出しが成されたことを検出し、その旨の呼出音や音声メッセージ等を、発報部２２を構成するスピーカ２８から音響出力させると共に、同様な旨の呼出メッセージや絵データ等を表示部２４に表示させて呼出転送が成されたことを示す所定の報知（呼出報知）を行う。
尚、このとき第２居室親機２ｂの制御部３１は、分配変換部３０を制御して、他親機接続用ＩＦ３３から分配変換部３０を経由して表示部２４への信号伝送路と、他親機接続用ＩＦ３３から分配変換部３０を経由して親機通話部２５を構成するスピーカ２８への信号伝送路とをそれぞれ形成する。
【００２５】
この一連の制御により、呼出操作を受けて撮像を開始した第１玄関子機１ａの映像撮像部１２の映像信号は、第１居室親機２ａに伝送され（Ｓ３）、更に第１居室親機２ａの制御部３１により世帯間ラインＬ２を介して第２居室親機２ｂの制御部３１に伝送され（Ｓ４）る。こうして第１玄関子機１ａにて呼出操作を行った来訪者の映像や世帯Ａの住戸玄関の周囲近傍の映像が第２居室親機２ｂの表示部２４に出画される。
【００２６】
次に、このような報知（呼出報知）、映像の出画及び受話音声の音響出力を受けて、世帯Ａの住戸玄関に居る来訪者を認識した世帯Ｂの居住者による応答は以下のようである。第２居室親機２ｂの設定・操作部２１にて所定の応答操作が行われると、操作を検出した制御部３１は、応答信号を生成して呼出転送信号と逆の信号伝送路を経由して第１居室親機２ａの制御部３１に伝送する（Ｓ５）。また、第２居室親機２ｂの制御部３１は、分配変換部３０を制御して、マイク２７から分配変換部３０を経由して他親機接続用ＩＦ３３への信号伝送路を形成すると共に、他親機接続用ＩＦ３３から分配変換部３０を経由してスピーカ２８への信号伝送路の形成を保持する。
【００２７】
一方、第１居室親機２ａの制御部３１は、第２居室親機２ｂの制御部３１からの応答信号を受信すると、第２居室親機２ｂの分配変換部３０を制御して、他親機接続用ＩＦ３３から分配変換部３０を経由して子機接続用ＩＦ３２への信号伝送路を形成すると共に、第１居室親機２ａの子機接続用ＩＦ３２から分配変換部３０を経由して他親機接続用ＩＦ３３への信号伝送路の形成を保持する。また、第１玄関子機１ａへ応答信号を送信（Ｓ６）して玄関子機１ａのマイク１３及びスピーカ１４を能動にし、通話路を形成すると共に信号伝送路を保持する。
【００２８】
この後、第２居室親機２ｂのマイク２７にて入力された音声（受話音声）信号は、自身の分配変換部３０、他親機接続用ＩＦ３３、世帯間ラインＬ２、第１居室親機２ａの他親機接続用ＩＦ３３、分配変換部３０、子機接続用ＩＦ３２、子機／親機ラインＬ１ａを経由して第１玄関子機１ａのスピーカ１４に伝送され、スピーカ１４から音響出力される（Ｓ７）。
一方、呼出検出時より保持して形成されている信号伝送路を基に、第１玄関子機１ａのマイク１３から第１居室親機２ａ及び他世帯間ラインＬ２を適宜経由して第２居室親機２ｂのスピーカ２８に伝送される来訪者の音声（送話音声）信号は、スピーカ２８から音響出力される（Ｓ７）。こうして、世帯Ａの住戸玄関に居る来訪者と世帯Ｂの住戸内に在室中の居住者との間の通話が成され、世帯Ｂの居住者は来訪者の映像を確認しながら通話ができる。
【００２９】
そして、第１玄関子機１ａから呼び出しが成されて撮像を開始した第１玄関子機１ａの映像撮像部１２の映像信号は、第１居室親機２ａにより伝送された時から第１居室親機２ａの制御部３１により自身の録音・録画部２９に録画を開始する。その後、第２居室親機２ｂで応答操作が行われると、上述したように他世帯の居室親機（第２居室親機２ｂ）と自世帯の玄関子機（第１玄関子機１ａ）とで通話がなされるが、応答信号を受けてさらに録音を開始し、これらの会話が映像と併せて同様に録音・録画部２９に記憶される。
【００３０】
次に、応答した世帯Ｂの居住者が通話を終了させるために、第２居室親機２ｂの設定・操作部２１にて所定の終話操作を行うと、制御部３１は終話信号を生成して第１居室親機２ａの制御部３１に送出する（Ｓ８）。これを検出した第１居室親機２ａの制御部３１は、録音・録画部２９での録音・録画動作を終了させる。
また、このとき第２居室親機２ｂの制御部３１は、分配変換部３０を制御して、マイク２７から分配変換部３０を経由して他親機接続用ＩＦ３３への信号伝送路を遮断すると共に、他親機接続用ＩＦ３３から分配変換部３０を経由してスピーカ２８への信号伝送路の形成を遮断する。
【００３１】
第２居室親機２ｂから終話信号を受信した第１居室親機２ａの制御部３１は、分配変換部３０を制御して、他親機接続用ＩＦ３３から分配変換部３０を経由して子機接続用ＩＦ３２への信号伝送路を遮断すると共に、子機接続用ＩＦ３２から分配変換部３０を経由して他親機接続用ＩＦ３３への信号伝送路を遮断する。また、第１玄関子機１ａへ終話信号を送信（Ｓ９）して玄関子機１ａとの間の信号伝送路を遮断する。
更に第１居室親機２ａの制御部３１は、表示部２４に第２居室親機２ｂと第１玄関子機１ａとで通話がなされて、録音・録画されたことを報知する表示を行う。この表示は、自世帯の玄関子機（第１玄関子機１ａ）と居室親機（第１居室親機２ａ）の間の通話の録音・録画と異なる表示でなされ、区別可能となっている。
【００３２】
その後、外出等から帰宅した世帯Ａの居住者が、第１居室親機２ａの表示部２４に表示されている他世帯の居室親機（第２居室親機２ｂ）と自世帯の玄関子機（第１玄関子機１ａ）との間で通話があったことを知らせる表示を確認して、第１居室親機２ａの設定・操作部２１にて所定の録音・録画再生操作を行うと、制御部３１により録音・録画部２９に録音・録画されていた第２居室親機２ｂと第１玄関子機１ａとの通話内容・映像が読み出され、スピーカ２８から音響出力されると共に、表示部２４に来訪者の映像が表示される。
【００３３】
このように、玄関子機からの呼び出しが他世帯の居室親機に転送され、他世帯の居室親機で応答が成された場合に、その通話の内容が自世帯の居室親機に来訪者映像と共に記憶される。そのため、帰宅した自世帯の居住者は、その記録内容を再生することで、他世帯の居住者へ問い合わせすることなく来訪者の映像に加えて会話内容を認識することができる。よって、来訪者の訪問目的等を確実に把握することができ、来訪者にメッセージの録音を促す必要が無くなり、来訪者に不快感を与えることがないし、応答した他世帯の居住者も、通話内容を記憶したり記録しておく必要がなく気軽に応答できる。
また、転送モードでの録音・録画がある場合はそれを容易に認識でき、留守にしていた時に来訪者があったことを把握し易い。
【００３４】
尚、上記実施形態では、世帯Ａの第１居室親機２ａが転送モードに設定され、世帯Ａに来訪者があった場合を説明したが、逆の場合（世帯Ａと世帯Ｂが逆の状態になった場合）も全く同様であり、第２居室親機２ｂが転送モードに設定され、世帯Ｂにあった来訪者が第２玄関子機１ｂ、第１居室親機２ａを介して世帯Ａの居住者と通話した場合は、第２居室親機２ｂにその通話時の録音・録画が成される。
【００３５】
また、転送モード状態での録音・録画を、転送モードに設定された居室親機で行っているが、転送されて代理応答した他世帯の居室親機側で行っても良い。
図４はこの場合、すなわち応答した親機に録音／録画される場合のシーケンス図を示し、以下この図に基づいて簡単に説明する。但し、上記実施形態と同様に、世帯Ａを自世帯、世帯Ｂを他世帯として、世帯Ａの第１居室親機２ａが転送モードに設定された場合の動作を説明する。
【００３６】
来訪者が第１玄関子機１ａを操作して呼出信号が第１居室親機に伝送（Ｓ１１）されたら、第１居室親機２ａが呼出転送信号を生成して第２居室親機２ｂに伝送する（Ｓ１２）流れは上記実施形態と同様であり、第２居室親機２ｂで呼出報知が行われる。また、呼出操作により撮像を開始した第１玄関子機１ａの映像撮像部１２の映像信号も同様に第１居室親機２ａに伝送（Ｓ１３）され、更に第２居室親機２ｂに伝送（Ｓ１４）される。このとき、第２居室親機２ｂの制御部３１は、呼出転送信号を受けて第１玄関子機１ａから伝送された映像を自身の録音・録画部２９に録画する。
【００３７】
その後、呼出報知を受けて世帯Ｂの居住者が応答操作すると、第２居室親機２ｂから応答信号が第１居室親機２ａに伝送（Ｓ１５）され、更に第１居室親機２ａから第１玄関子機１ａに伝送（Ｓ１６）される。こうして、上記実施形態と同様に第１玄関子機１ａと第２居室親機２ｂの間で通話路が形成され、音声信号が送受される（Ｓ１７）。
そして、このとき第２居室親機２ｂの制御部３１は、応答操作を受けて録音を開始し、このときの会話が映像と併せて第２居室親機２ｂの録音・録画部２９に記憶される。
【００３８】
その後、終話操作が成されて第２居室親機２ｂから終話信号が第１居室親機１ａに伝送（Ｓ１８）されたら、第１居室親機２ａから第１玄関子機１ａに更に伝送（Ｓ１９）される流れは上記実施形態と同様であり、終話信号を受けて形成されていた信号伝送路は遮断される。そして、第１居室親機２ａの制御部３１は、表示部２４に第２居室親機２ｂと第１玄関子機１ａとの間で通話が成されて、第２居室親機２ｂの録音・録画部２９に録音・録画されたことを報知する表示を行う。この表示は、自世帯の玄関子機（第１玄関子機１ａ）と親機（第１居室親機２ａ）の間の通話の録音・録画と異なる表示でなされ、区別可能となっている。
【００３９】
こうして、帰宅した世帯Ａの居住者が、第１居室親機２ａの表示部２４に表示されている他世帯の居室親機（第２居室親機２ｂ）と自世帯の玄関子機（第１玄関子機１ａ）との間で通話があったことを知らせる表示を確認し、第１居室親機２ａの設定・操作部２１にて所定の再生操作を行うと、制御部３１は第２居室親機２ｂに対して来客確認信号を生成して伝送（Ｓ２０）する。
この信号を受信した第２居室親機２ｂの制御部３１は、自身の録音・録画部２９に録音・録画した第２居室親機２ｂと第１玄関子機１ａとの通話内容・映像を読み出し、再生した録音・録画信号を第１居室親機２ａに伝送する。伝送された録音・録画信号は第１居室親機２ａの制御部３１が、第１居室親機２ａのスピーカ２８から音響出力すると共に、表示部２４に来訪者の映像を表示する。
このように、代理応答した他世帯の居室親機で録音・録画しても良く、録音・録画部２９は第１居室親機、及び第２居室親機のうちの一方だけに設けることも可能である。
【図面の簡単な説明】
【００４０】
【図１】本発明に係る２世帯用インターホン装置の一例を示す構成図である。
【図２】図１の居室親機を回路ブロック図で示した図ある。
【図３】本発明の第１の実施形態を示すシーケンス図である。
【図４】本発明の第２の実施形態を示すシーケンス図である。
【符号の説明】
【００４１】
１・・玄関子機、１ａ・・第１玄関子機、１ｂ・・第２玄関子機、２・・居室親機、２ａ・・第１居室親機、２ｂ・・第２居室親機、１２・・映像撮像部、２１・・設定・操作部（転送モード設定部）、２４・・表示部（録音・録画報知手段）、２７・・マイク、２８・・スピーカ（録音・録画報知手段）、２９・・録音・録画部、３１・・制御部。
【図１】
2009200832.tif 000003
【図２】
2009200832.tif 000004
【図３】
2009200832.tif 000005
【図４】
2009200832.tif 000006